(57)【特許請求の範囲】
【請求項１】
読取部と制御部を有する画像処理装置であって、
前記読取部は、
原稿を搬送する搬送手段と、
前記搬送手段によって搬送される原稿の画像を読み取って画像データを生成する読取手段と、
前記読取手段によって生成された画像データを記憶する記憶手段と、
前記搬送手段によって搬送された原稿のサイズを検知する検知手段と、
前記検知手段によって検知された原稿のサイズを前記制御部に通知する通知手段と、前記記憶手段に記憶された画像データを前記制御部に送信する送信手段と、
を有し、
前記制御部は、
前記検知手段が原稿のサイズを検知する前に所定のサイズに基づく設定値を設定する設定手段と、
前記送信手段によって送信された画像データを受信する受信手段と、
前記設定手段によって設定された設定値に基づいて、前記受信手段によって受信された画像データに画像処理を実行する実行手段と、
を有し、
前記検知手段によって検知された原稿のサイズが前記所定のサイズに一致しない場合、前記送信手段は、前記通知手段によって通知された原稿のサイズに基づく設定値が前記設定手段によって設定されたことに従って、前記記憶手段に記憶された画像データを前記制御部に送信する
ことを特徴とする画像処理装置。 
【請求項２】
前記検知手段によって検知された原稿のサイズが前記所定のサイズに一致する場合、前記通知手段は、前記検知手段によって検知された原稿のサイズを前記制御部に通知しないことを特徴とする請求項１に記載の画像処理装置。
【請求項３】
前記検知手段によって検知された原稿のサイズが前記所定のサイズに一致しない場合、前記読取手段が前記原稿の画像を再度読み取ることなく、前記送信手段は、前記通知手段によって通知された原稿のサイズに基づく設定値が前記設定手段によって設定されたことに従って、前記記憶手段に記憶された画像データを前記制御部に送信する
ことを特徴とする請求項１又は２に記載の画像処理装置。
【請求項４】
前記所定のサイズは、前記搬送手段が搬送可能な原稿のサイズのうち最大サイズである
ことを特徴とする請求項１乃至３のいずれか１項に記載の画像処理装置。
【請求項５】
前記記憶手段に記憶可能な画像データのサイズは、前記所定のサイズの画像データの２ページ分未満である
ことを特徴とする請求項１乃至４のいずれか１項に記載の画像処理装置。
【請求項６】
前記設定手段は、画像データの変倍率を設定し、
前記実行手段は、前記設定手段によって設定された画像データの変倍率に基づいて、前記受信手段によって受信された画像データのサイズを変更する処理を実行する
ことを特徴とする請求項１乃至５のいずれか１項に記載の画像処理装置。
【請求項７】
前記画像処理装置は、印刷部を更に有し、
前記制御部は、前記実行手段によって前記画像処理が実行された画像データを格納する格納手段を更に有し、
前記印刷部は、前記格納手段によって格納された画像データに基づいてシートに画像を印刷する
ことを特徴とする請求項１乃至６のいずれか１項に記載の画像処理装置。
【請求項８】
前記読取手段は、前記搬送手段によって搬送される原稿の両面の画像を読み取る
ことを特徴とする請求項１乃至７のいずれか１項に記載の画像処理装置。
【請求項９】
前記搬送手段は、サイズが異なる複数の原稿を搬送する
ことを特徴とする請求項１乃至８のいずれか１項に記載の画像処理装置。
【請求項１０】
前記所定のサイズは、ＬＧＬの原稿サイズである
ことを特徴とする請求項１乃至９のいずれか１項に記載の画像処理装置。
【請求項１１】
原稿を搬送する搬送手段と、前記搬送手段によって搬送される原稿の画像を読み取って画像データを生成する読取手段と、前記読取手段によって生成された画像データを記憶する記憶手段とを有する読取部と、制御部と、を有する画像処理装置の制御方法であって、
前記読取部が、前記搬送手段によって搬送された原稿のサイズを検知する検知工程と、
前記制御部が、前記検知工程で原稿のサイズを検知する前に所定のサイズに基づく設定値を設定する第１の設定工程と、
前記読取部が、前記検知工程で検知された原稿のサイズを前記制御部に通知する通知工程と、
前記検知工程で検知された原稿のサイズが前記所定のサイズに一致しない場合、前記制御部が、前記通知工程で通知された原稿のサイズに基づく設定値を設定する第２の設定工程と、
前記読取部が、前記通知工程で通知された原稿のサイズに基づく設定値が前記第２の設定工程で設定されたことに従って、前記記憶手段に記憶された画像データを前記制御部に送信する送信工程と、
前記制御部が、前記送信工程で送信された画像データを受信する受信工程と、
前記制御部が、前記第２の設定工程で設定された設定値に基づいて、前記受信工程によって受信された画像データに画像処理を実行する実行工程と、
を有することを特徴とする画像処理装置の制御方法。
【請求項１２】
請求項１１に記載の画像処理装置の制御方法を、コンピュータに実行させるためのプログラム。
【請求項１３】
請求項１２に記載のプログラムを格納した、コンピュータで読み取り可能な記憶媒体。
【発明の詳細な説明】
【技術分野】
【０００１】
本発明は、画像処理装置、画像処理装置の制御方法、プログラム、及び記憶媒体に関する。
【背景技術】
【０００２】
デジタル複写機においては、原稿読取り装置にＣＣＤイメージセンサやＣＭＯＳイメージセンサが用いられている。ＣＣＤやＣＭＯＳなどを用いて画像データを読み取る読取り装置においては、読み取り画像の拡大・縮小を行う変倍機能を実現するために、以下の構成を備える。
具体的には、主走査方向についてはデジタル信号を演算処理することによって倍率を変える手法が、副走査方向については読み取り速度を変化させ、読み取るライン数を変化させることで倍率を変える手法が用いられている。
【０００３】
また、読取り装置や本体の制御部において、画像データを演算処理（画像処理）することにより倍率を変える手法も用いられている。
また、デジタル複写機の読取り装置においては、原稿積載台におかれた原稿を１枚ずつ読み取るために読取り装置に対して自動で送り出す機構を持つ自動原稿送り装置（ＡＤＦ）も広く用いられている。
自動原稿送り装置を利用して原稿を読み取る方法としては、コンタクトガラス上に原稿を送り、そこに載置された原稿画像をスキャナユニットの移動によって読み取る、原稿固定読み方式とそれ以外の方式がある。ここで、それ以外の方式とは自動原稿送り装置により原稿搬送中に原稿画像を読み取る、原稿流し読み方式がある。
原稿流し読み方式による原稿画像の読み取り方式は、原稿固定読み方式と比較して、原稿間のスキャナ移動時間がないため、原稿束全体の読み取り時間を短縮することが可能であり、かつ、自動原稿送り装置を小型化することも可能である。
【０００４】
また、デジタル複写機の機能として、原稿サイズと出力用紙サイズに基づいて変倍率を計算して画像を形成する、自動変倍機能が存在する。この自動変倍機能は、リーダ装置の備える原稿サイズ検知機能により自動検出した原稿サイズと、使用者によって選択された出力用紙サイズとから読取画像に対する最適な変倍率を計算し、その変倍率で画像形成処理を行うことで実現される。
この自動変倍機能を実現するためには、原稿読取開始前に原稿サイズを検知して変倍率を確定する必要がある。原稿サイズ検知方法としては、原稿積載台上に設けられたセンサで原稿サイズを決定する方法がある。原稿搬送方向と直行する方向のサイズ検知については、原稿積載台上で原稿の上下方向の幅を規制するガイド部材の幅をセンサで読み取る方式、あるいは、原稿搬送方向に複数並べられたセンサにより検知する方式がある。また、搬送方向の長さの検知に関しては、原稿積載台上に配置されたセンサを原稿が遮る組み合わせにより検知する方法、原稿搬送パスに設けられた検知センサで原稿の位置や、原稿先端から原稿後端までが通過するまでの通過時間により検知する方法等がある。
【０００５】
前者の方式の課題として、サイズの異なる原稿を一度にセットして画像読み取りを行う原稿サイズ混載モードにおいては、搬送方向のサイズ検知は、セットされた原稿のうち最大長の原稿より短い長さの原稿サイズが原稿台上では検知できない、という問題がある。そのため、原稿サイズ混載モードに対応したデジタル複写機においては、後者の方式と組み合わせて原稿サイズ検知を実施している。
【０００６】
しかし、後者の方式で原稿サイズ混載モード時に原稿サイズを検知するためには、原稿積載台上の原稿が搬送され、１枚の原稿が原稿積載台上の原稿束から離れ、原稿自体が独立した状態になった時点で初めて原稿サイズが確定される。
従って、それが可能となるような原稿の搬送路（パス）の確保が必要となり、コンタクトガラス上に原稿を送り、そこに載置された原稿の画像をスキャナの移動によって読み取る原稿固定読み方式の場合では実現可能である。しかし、原稿流し読み方式の場合において同様のことを実現しようとすると、原稿搬送パスを確保のために自動原稿送り装置（ＡＤＦ）のサイズが大きくなるという問題がある。
【０００７】
そこで、両面原稿を読み取る場合の原稿反転機構を利用して、原稿読取を実施しないで原稿サイズ検知を行う工程を設け、原稿搬送パス長を確保し、この工程による原稿サイズの確定後、再度原稿読取位置に原稿を搬送して原稿読取を実行する方法がある。
しかし、この方法では、両面原稿搬送パスで原稿を複数回搬送させる必要が有り、複写処理における生産性が極端に落ちてしまう。また、両面原稿を１回の原稿搬送で表面・裏面とも読み取り可能な、両面同時読み取り機構をもつ読取り装置では、この方法は採用できない。
【０００８】
このため、従来技術として、画像読み取り前に原稿サイズが確定しない場合は、読み取り画像データをメモリに格納し、原稿サイズ検知により原稿サイズが確定したのちに、画像処理（演算処理）により変倍を実行する方法がある（特許文献１参照）。
【先行技術文献】
【特許文献】
【０００９】
【特許文献１】特開２００４−１０４１８７号公報
【発明の概要】
【発明が解決しようとする課題】
【００１０】
特許文献１の技術では、原稿サイズが確定するまで読み取った画像データをメモリに格納する必要があるため、読取り装置に多くのメモリを搭載する必要がある。特に、両面同時読み取り機構を持つ読取り装置では、表面の変倍処理終了後に裏面の変倍処理を行うため、表面と裏面の両面を格納可能なメモリが必要となる。このため、読取り装置が読み取りに対応する最大の原稿サイズ２面分のメモリ容量が必要となり、メモリコストが高くなるという問題がある。
【００１１】
また、デジタル複写機においては、読取り装置で読み取った画像データを本体の制御装置に転送し、画像処理を行った上でプリンタ装置に転送し、その画像データをプリンタ装置で印刷することにより原稿の複写を行う。
このとき、読取り装置から制御装置に転送された画像データは、制御装置で画像処理を行った上で、制御装置のメモリに格納される。
【００１２】
特に、制御装置での画像処理においても変倍処理が可能なデジタル複写機において、所望の変倍処理を実現するために、リーダ部と制御装置で変倍処理を分担して行う複写機が存在する。
これらのデジタル複写機において、変倍処理やその他の画像処理を行うためには、読み取り画像の画像サイズや、その画像サイズに応じて決定される出力画像の画像サイズを求め、それらの値を使用した画像処理設定を事前に行うことが必要である。
【００１３】
しかし、これらの画像サイズの値は、原稿サイズが確定しないと求めることができず、原稿サイズ混載モードでは原稿読み取り開始前に画像処理設定を行うことができない。
また、制御装置での画像処理設定の実行には、ある程度の時間が必要である。このため、原稿サイズが確定するまで読み取り画像データを読取り装置のメモリに格納する場合、原稿サイズが確定してから制御装置が画像データの処理を開始可能な状態になるまでの間、読み取られる画像データをリーダ装置のメモリに格納する必要である。
【００１４】
特に、制御装置で画像処理設定を行う時間が一定でない場合、ワーストケースを想定し、原稿画像全体を格納可能なメモリ容量を読取り装置のメモリに用意する必要があり、この点でもメモリコストが高くなるという問題がある。
本発明は、上記の課題を解決するためになされたものである。本発明の目的は、検知された原稿のサイズが所定のサイズに一致しない状況が発生したとしても、読取部から通知された原稿のサイズに基づく設定値に基づいて、当該読取部から送信された画像データに画像処理を実行する装置や方法等を提供することにある。
【課題を解決するための手段】
【００１５】
上記目的を達成する本発明の読取り制御装置は以下に示す構成を備える。
読取部と制御部を有する画像処理装置であって、前記読取部は、原稿を搬送する搬送手段と、前記搬送手段によって搬送される原稿の画像を読み取って画像データを生成する読取手段と、前記読取手段によって生成された画像データを記憶する記憶手段と、前記搬送手段によって搬送された原稿のサイズを検知する検知手段と、前記検知手段によって検知された原稿のサイズを前記制御部に通知する通知手段と、前記記憶手段に記憶された画像データを前記制御部に送信する送信手段と、を有し、前記制御部は、前記検知手段が原稿のサイズを検知する前に所定のサイズに基づく設定値を設定する設定手段と、前記送信手段によって送信された画像データを受信する受信手段と、前記設定手段によって設定された設定値に基づいて、前記受信手段によって受信された画像データに画像処理を実行する実行手段と、を有し、前記検知手段によって検知された原稿のサイズが前記所定のサイズに一致しない場合、前記送信手段は、前記通知手段によって通知された原稿のサイズに基づく設定値が前記設定手段によって設定されたことに従って、前記記憶手段に記憶された画像データを前記制御部に送信することを特徴とする。
【発明の効果】
【００１６】
本発明によれば、検知された原稿のサイズが所定のサイズに一致しない状況が発生したとしても、読取部から通知された原稿のサイズに基づく設定値に基づいて、当該読取部から送信された画像データに画像処理を実行することができる。
【図面の簡単な説明】
【００１７】
【図１】読取り制御装置を含む複写装置の構成を示すブロック図である。
【図２】コントローラ制御装置の構成を説明するブロック図である。
【図３】自動原稿送り装置の構成を説明する断面図である。
【図４】自動原稿送り装置の原稿搬送パスを説明する図である。
【図５】自動原稿送り装置から搬送する原稿サイズを説明する図である。
【図６】読取り装置の制御手順を示すフローチャートである。
【図７】読取り装置の制御手順を示すフローチャートである。
【図８】リーダ装置の原稿搬送状態とメモリの領域使用状態を示す図である。
【図９】リーダ装置の原稿搬送状態とメモリの領域使用状態を示す図である。
【図１０】複写装置の制御装置の制御手順を示すフローチャートである。
【図１１】複写装置の制御装置の制御手順を示すフローチャートである。
【図１２】複写装置の原稿混載モード時の読取りシーケンスを示す図である。
【図１３】複写装置の原稿混載モード時の読取りシーケンスを示す図である。
【発明を実施するための形態】
【００１８】
次に本発明を実施するための最良の形態について図面を参照して説明する。
〔第１実施形態〕
初めに、本発明の実施形態の対象である、複写装置（デジタル複写機）の構成について説明する。なお、本実施形態では、図４に示すように、リーダ制御装置は、搬送路を搬送される原稿の表面の画像を読み取るための第１の読取り部としてイメージセンサＩＳ１を備える。さらに、搬送される原稿の裏面の画像を前記イメージセンサＩＳ１よりも下流側で読み取る第２の読取り部としてのイメージセンサＩＳ２を備える。
さらに、搬送路上を搬送される原稿の先端または後端を検知する第１の検知部として原稿検知センサＳ１を備える。さらに、原稿検知センサＳ１よりも上流側であって、搬送される原稿の先端または後端を検知する第２の検知部としての原稿検知センサＳ２を備える。さらに、第１の読取り部と第２の読取り部が読み取る画像データを搬送可能な最大原稿サイズで１頁分格納可能なメモリ１１４とを備える。ここで、原稿検知センサＳ１、Ｓ２は、搬送路上を搬送される原稿の通過状態を検知して、後述するリーダ制御装置１１１に原稿の先端または後端の通過状態を通知する。
【００１９】
図１は、本実施形態の読取り装置を適用可能な複写装置（デジタル複写機）の全体構成を示すブロック図である。
図１において、複写装置は、複写装置全体を制御する制御装置１０１、原稿を読み取り画像データを作成するリーダ装置１０２、画像データを印刷用紙に印字するプリンタ装置１０３から構成される。制御装置１０１とリーダ装置１０２はリーダＩ／Ｆ１０８、１１５により接続され、原稿読み取りに関するコマンドやリーダ装置１０２が読み取った画像データの転送が行われている。
【００２０】
同様に、制御装置１０１とプリンタ装置１０３もプリンタＩ／Ｆ１０９、１２０により接続されている。
リーダ装置１０２は、リーダ制御装置１１１、自動原稿送り装置１１２、読取り装置１１３、メモリ（ＤＲＡＭ）１１４、リーダＩ／Ｆ１１５から構成される。読取り装置１１３は、原稿台に置かれた原稿を読み取る画像読み取り手段であり、露光ランプ、ミラー、レンズなどで構成された光学走査系、原稿画像を読み取り電気信号に変換するＣＣＤやＣＭＯＳなどのイメージセンサなどから構成される。
【００２１】
自動原稿送り装置（ＤＦユニット）１１２は、原稿積載台に設置された原稿束から原稿を１枚ずつ搬送する原稿搬送手段であり、給紙ローラや排紙ローラ、原稿検知センサなどから構成される。また、原稿の両面同時読み取り機能に対応したリーダ装置１０２においては、自動原稿送り装置１１２の原稿搬送経路上に原稿表面と原稿裏面の各画像を読み取るためのイメージセンサが設置されている。
リーダ制御装置１１１は、リーダ装置１０２を制御する制御手段であり、自動原稿送り装置１１２、読取り装置１１３、メモリ１１４、リーダＩ／Ｆ１１５と接続されている。
リーダ制御装置１１１は、制御装置１０１からの要求を受けて自動原稿送り装置１１２や読取り装置１１３を制御する。その際、リーダ制御装置１１１は、それらが読み取った画像データに対し、色ずれ補正や輝度補正などの画像処理を行った後、リーダＩ／Ｆ１１５を通して制御装置１０１に画像データを転送する。なお、リーダ制御装置１１１は、メモリ１１４に格納された画像データに対して画像処理、例えば画像変倍処理を行うことが可能に構成されている。
【００２２】
また、リーダ制御装置１１１は、必要に応じて読取り装置１１３や自動原稿送り装置１１２が読み取った画像データをメモリ１１４に格納し、制御装置１０１から要求があった後にメモリ１１４から画像データを読み出し、画像データを制御装置１０１に転送する。また、リーダ制御装置１１１は、メモリ１１４から画像データを読み出した後の画像処理として、変倍処理を行うことも可能である。
【００２３】
プリンタ装置１０３は、プリンタ制御装置１１６、給紙装置１１７、印字装置１１８、排紙装置１１９、プリンタＩ／Ｆ１２０から構成される。
給紙装置１１７は、印刷用紙を積載する給紙カセットや紙を給紙カセットから印字装置１１８まで搬送する。印字装置１１８は、潜像が形成される感光体、感光体上に潜像を形成するレーザ装置、レンズ、ミラーなどの光学系、感光体上にトナー画像を形成する現像装置、感光体のトナー画像を印刷用紙に転写し、定着させる定着装置などから構成される。
排紙装置１１９は、印字された用紙を積載する排紙トレイや印字装置１１８で印字された用紙を排紙トレイに搬送する排紙ローラ、印字された用紙にステープルやパンチなどのフィニッシング処理を行う後処理装置から構成される。
【００２４】
プリンタ制御装置１１６は、給紙装置１１７、印字装置１１８、排紙装置１１９、プリンタＩ／Ｆ１２０と接続されている。プリンタ制御装置１１６は、制御装置１０１からの要求を受けて、プリンタＩ／Ｆ１２０を通して制御装置１０１から転送された画像データを印字装置１１８に送り、印刷用紙上に画像形成を行う。
制御装置１０１は、コントローラ制御装置１０４、操作部１０５、メモリ（ＤＲＡＭ）１０７、ＨＤＤ１０６、リーダＩ／Ｆ１０８、プリンタＩ／Ｆ１０９、ネットワークＩ／Ｆ１１０から構成される。
【００２５】
操作部１０５は、液晶タッチパネルディスプレイやテンキ―、スタートキー、ストップキー、クリアキーなどの各種キーから構成され、使用者の操作に応じて、制御装置１０１に複写の実行などの処理を要求する。
リーダＩ／Ｆ１０８は、リーダ装置１０２のリーダＩ／Ｆ１１５と接続され、リーダ装置１０２に対する原稿読み取り要求などのコマンド送受信やリーダ装置１０２から画像データの転送に使用される。
【００２６】
プリンタＩ／Ｆ１０９は、プリンタ装置１０３のプリンタＩ／Ｆ１２０と接続され、プリンタ装置１０３に対する印刷要求などのコマンド送受信やプリンタ装置１０３に対する印刷画像の転送に使用される。
コントローラ制御装置１０４は、操作部１０５、メモリ１０７、ＨＤＤ１０６、ネットワークＩ／Ｆ１１０、リーダＩ／Ｆ１０８、プリンタＩ／Ｆ１０９と接続されている。
そして、使用者による操作部１０５からの複写ジョブ投入により、リーダ装置１０２に原稿読み取り要求を行い、リーダ装置１０２から転送された読み取り画像を受信し、受信した画像データに画像処理を行う。そして、コントローラ制御装置１０４は、プリンタ装置１０３に印刷要求を行い、画像処理を行った画像データを転送することにより、原稿複写処理を実行する。
本実施形態では、原稿サイズが異なる原稿を搬送する搬送手段として自動原稿送り装置１１２を備える。また、読取り装置１１３は、自動原稿送り装置１１２により搬送される原稿の片面または／および両面の画像を同時に読み取り可能なイメージセンサＩＳ１、ＩＳ２を備える。ここで、イメージセンサＩＳ１は搬送される原稿の表面画像を読み取り、イメージセンサＩＳ２は搬送される原稿の裏面画像を読み取る。そして、メモリ１１４は、後述する図８、図９に示すようにイメージセンサＩＳ１、ＩＳ２が読み取る表面の画像データおよび裏面の画像データを格納可能な第１の領域と第２の領域とを確保可能に構成されている。なお、メモリ１１４は、最大原稿サイズよりも小さい原稿サイズでカラー画像データを２ページ分格納可能に構成されている。
【００２７】
図２は、図１に示したコントローラ制御装置１０４の構成を説明するブロック図である。
図２において、コントローラ制御装置１０４は、スキャン画像処理部２０２、プリント画像処理部２０３、画像圧縮処理部２０４、画像伸長処理部２０５、画像変換処理部２０６、メモリコントローラ２０７とデータバス２０８を介して接続される。メモリコントローラ２０７は、外部のメモリ（ＤＲＡＭ）１０７と接続され、コントローラ制御装置１０４の各画像処理部は、メモリコントローラ２０７を介してメモリ１０７にアクセスすることができる。また、スキャン画像処理部２０２はリーダＩ／Ｆ１０８、プリント画像処理部２０３はプリンタＩ／Ｆ１０９とそれぞれ接続されている。
【００２８】
スキャン画像処理部２０２は、リーダＩ／Ｆ１０８より転送されるリーダ装置１０２で処理された画像データを受信し、画像データに対し画像処理を行った後、メモリ１０７に画像データを格納する。
スキャン画像処理部２０２で行われる画像処理は、イメージセンサ間の色ずれ補正、フィルタ処理、画像の拡大・縮小の変倍処理、ガンマ補正処理、自動カラーモノクロ判別処理などである。
【００２９】
プリント画像処理部２０３は、メモリ１０７に格納されている画像データを読み込み、読み込んだ画像データに画像処理を行った後、プリンタＩ／Ｆ１０９よりプリンタ装置１０３に画像データを転送する。プリント画像処理部２０３で行われる画像処理は、濃度変換処理、枠消し処理、画像合成処理、細線補正処理などである。
画像圧縮処理部２０４は、メモリ１０７に格納されているＲａｗ画像データを読み込み、ＪＰＥＧ、ＪＢＩＧなどの画像形式による画像圧縮処理を行い、圧縮された画像データをメモリ１０７に格納する。
画像伸長処理部２０５は、メモリ１０７に格納されているＪＰＥＧ、ＪＢＩＧ形式の画像データを読み込み、Ｒａｗ画像データに伸長する画像伸長処理を行い、Ｒａｗ画像データをメモリ１０７に格納する。
画像変換処理部２０６は、メモリ１０７に格納されている画像データを読み込み、画像変換処理を行い、再びメモリ１０７に画像データを格納する。画像変換処理部２０６で行われる画像処理は、色変換処理、下地除去処理、濃度補正処理、フィルタ処理などである。
【００３０】
図３は、図１に示した自動原稿送り装置１１２の構成を説明する断面図である。
図３において、本実施形態で使用する自動原稿送り装置１１２は、一度の原稿搬送で原稿の表面と裏面の両方の画像を読み取り可能な、両面同時読み取りに対応した自動原稿送り装置である。
【００３１】
図４は、図３に示した自動原稿送り装置１１２の原稿搬送パスを説明する図である。本例は、特に、本実施形態に示す読取り装置に関わる部分を概略的に示した例である。なお、図中における矢印は、原稿搬送方向を示す。
図４において、９０１は原稿表面の画像を読み取るイメージセンサＩＳ１の位置を表す。同様に９０２は、原稿裏面の画像を読み取るイメージセンサＩＳ２の位置を表す。９０３、９０４は、原稿搬送経路における原稿の通過を検出する原稿検知センサＳ１、Ｓ２の位置を表す。９０５は、自動原稿送り装置１１２において原稿が給紙から排紙までに搬送される原稿搬送経路（原稿搬送パス）を表す。
次に、自動原稿送り装置１１２における、原稿サイズ混載モードでの原稿サイズ検知について説明する。
複写装置の原稿読み取り処理においては、自動原稿送り装置１１２に異なる大きさの原稿を重ねて積載し、原稿読み取り時に自動的に原稿サイズを検出し、画像読み取り処理を行う原稿サイズ混載モードが存在する。
【００３２】
このような原稿サイズ混載モードには、主走査方向（原稿搬送方向と垂直な方向）の原稿幅が同じである同幅原稿サイズ混載と主走査方向の原稿幅が異なる異幅原稿サイズ混載の２つのモードがある。
原稿サイズ混載時の原稿サイズは、原稿給紙が開始された際に検出される主走査方向の原稿幅と、原稿の読み取り搬送時に図４に示す搬送パス上の原稿検知センサＳ１、Ｓ２を原稿が通過する時間により検出される。
ここで、原稿サイズが異なるＳＴＭＴ、ＬＴＲ−Ｒ、ＬＧＬ（図５）による原稿サイズ混載時を考える。
【００３３】
図５は、図３に示した自動原稿送り装置１１２から搬送する原稿サイズを説明する図である。
図５に示すように、各ＳＴＭＴ、ＬＴＲ−Ｒ、ＬＧＬは主走査方向の原稿幅が同じであり、同幅原稿サイズ混載となる例である。
また、本実施形態の自動原稿送り装置１１２における、原稿搬送パス上の原稿検知センサＳ１、Ｓ２の最大間隔ＭＡＸＬは、図５に示すように、原稿サイズがＳＴＭＴの副走査方向の原稿長より長く、原稿サイズがＬＴＲ−Ｒの原稿長より短くなっている。ここで、最大間隔ＭＡＸＬとは、図４に示した位置９０３と位置９０４間の長さである。
【００３４】
このため、ＳＴＭＴ、ＬＴＲ−Ｒ、ＬＧＬの同幅原稿サイズ混載時に、原稿の先端を原稿検知センサＳ１の位置（図９の９０４）まで搬送した時点においても、給紙した原稿がＳＴＭＴであるか否かはリーダ制御装置１１１が判別可能である。
しかしながら、給紙された原稿がＬＴＲ−ＲとＬＧＬのどちらの原稿サイズであるかについては、リーダ制御装置１１１は判別することができない。
例えば、本実施形態の自動原稿送り装置１１２において、原稿搬送パス上の原稿検知センサＳ１、Ｓ２の最大間隔ＭＡＸＬが２３０ｍｍ（＜２７９．４ｍｍ）であると仮定する。この場合、原稿の先端が原稿検知センサＳ１の位置（図４の位置９０４）まで搬送された状態では、２３０ｍｍ以上の原稿長をもつ原稿であることは判別可能である。しかしながら、ＬＴＲ−ＲとＬＧＬのどちらの原稿サイズであるかは判断できず、これを判別するためには、さらに５０ｍｍ原稿を搬送することが必要となる。
【００３５】
しかし、本実施形態の自動原稿送り装置１１２では、原稿搬送パス上の搬送パス始点から２８０ｍｍ以内の位置（図４の位置９０１）に原稿表面の画像を読み取るイメージセンサＩＳ１が存在する。
このため、ＬＴＲ−ＲとＬＧＬの原稿サイズを判別可能な位置まで原稿を搬送した時点では、既に原稿表面の画像読み取りがイメージセンサＩＳ１により開始されている。従って、ＬＴＲ−ＲとＬＧＬの原稿サイズ混載では、いずれの原稿も画像読み取り開始前に原稿サイズを確定することができない状態となっている。
【００３６】
次に、自動原稿送り装置１１２の原稿両面同時読み取り機能と、リーダ装置１０２に搭載されているメモリ１１４の容量の関係について説明する。
本実施形態の自動原稿送り装置１１２は、原稿の両面同時読み取り機能に対応している。
両面同時読み取り機能は、自動原稿送り装置１１２の原稿搬送パス上で原稿表面の画像読み取るイメージセンサＩＳ１よりも下流側に原稿裏面の画像読み取るイメージセンサＩＳ２を配置することで実現される。
このため、イメージセンサＩＳ２による原稿裏面画像の読み取り開始は、原稿表面画像の読み取り開始のタイミングから一定時間遅れて開始される。
一方、リーダ制御装置１１１から読み取られた画像データの制御装置１０１への転送は、１ページ毎に行われ、制御装置１０１からリーダ制御装置１１１に対する原稿読み取り要求も１ページごとに別々に行われる。
【００３７】
つまり、制御装置１０１から原稿読み取り要求がリーダ制御装置１１１に対して行われると、自動原稿送り装置１１２は原稿の搬送を開始し、はじめにイメージセンサＩＳ１を用いて原稿表面の画像読み取りを開始する。続いて、イメージセンサＩＳ２を用いて原稿裏面の画像読み取りを開始し、表面と裏面の画像読み取りを同時並列的に進められる。
【００３８】
しかし、リーダ制御装置１１１から読み取られた画像データの制御装置１０１への転送は、原稿表面の画像データのみ転送を行い、イメージセンサＩＳ２により読み取られた原稿裏面の画像データはリーダ装置１０２のメモリ１１４に一時格納する。
そして、リーダ制御装置１１１が読み取られた原稿表面の画像データの転送が終了すると、制御装置１０１は原稿裏面の画像読み取り要求をリーダ制御装置１１１に行う。これに対し、リーダ装置１０２は、既に読み取ってメモリ１１４に格納した裏面の画像データを読み出し、制御装置１０１に転送することで、原稿裏面画像の読み取りが終了する。
以上のことから、リーダ装置１０２に搭載されるメモリ１１４の容量は、最低でも画像読み取りに対応する最大の原稿サイズ１ページ分の画像データを格納可能な容量であることが必要である。
【００３９】
本実施形態のリーダ装置１０２では、２５６ＭＢのメモリ１１４を搭載する。これは、１画素２４ｂｉｔのカラー画像データについては、原稿サイズがＡ３やＬＧＬの画像データについては１ページ分、Ａ４やＬＴＲの画像データについては２ページ分格納可能なメモリ容量である。また、１画素８ｂｉｔのグレースケールの画像データの場合は、Ａ３やＬＧＬの原稿についても２ページ分の画像データを格納可能である。
次に、リーダ装置１０２での原稿サイズ検知と制御装置１０１での画像処理の関係について説明する。
【００４０】
本実施形態の複写装置では、原稿画像読み取り時において、リーダ装置１０２から制御装置１０１に読み取られた画像データが転送される前に、読み取る画像データの原稿サイズが確定していることが必要となっている。
これは、コントローラ制御装置１０４での画像処理において、画像処理を実行する際に処理対象画像の画像サイズを設定する必要のある処理が存在するためである。
このため、原稿サイズ自動検出や原稿サイズ混載モードなどの設定で原稿読み取り処理が行われた場合、以下のことが必要となっている。つまり、読み取られた画像データがリーダ装置１０２から転送される前に原稿サイズが確定し、その原稿サイズに関わる情報がリーダ装置１０２から制御装置１０１に通知されることが必要となっている。
また、本実施形態の複写装置では、読み取られた画像データに対して拡大・縮小の変倍処理をリーダ装置１０２と制御装置１０１の両方で行うことが可能となっている。
このため、制御装置１０１での画像処理による変倍処理は、リーダ装置１０２側でも変倍処理が行われることが前提の仕様となっている。このように、リーダ装置１０２で変倍処理が可能な分、制御装置１０１側で対応可能な変倍率の範囲を狭めることにより、変倍処理で必要となるメモリ（ＳＲＡＭ）の容量を削減し、コストダウンを図っている。
【００４１】
このことから、リーダ装置１０２から制御装置１０１に読み取られた画像データが転送される前に、変倍処理の処理内容（リーダ装置１０２、制御装置１０１それぞれの変倍率）が決定され、リーダ装置１０２側での変倍処理が行われている必要がある。
特に、原稿サイズと出力用紙サイズから読み取られた画像データの変倍率を自動的に決定する、自動変倍機能においては、読み取られた画像データの原稿サイズが確定していないと、処理する変倍率を決定することができない。
このため、変倍処理を実行する観点からも、リーダ装置１０２から制御装置１０１に読み取られた画像データが転送される前に、原稿サイズが確定している必要がある。
【００４２】
次に、本発明が解決する課題を解決する構成について、本実施形態を例に説明する。
本実施形態の自動原稿送り装置１１２では、同幅原稿サイズ混載モードで動作する際、前述したように画像読み取りが開始される間に、原稿ＬＴＲ−Ｒと原稿ＬＧＬの原稿サイズを判別することができない。
また、原稿両面同時読み取りモードで、かつ、カラーモードで画像読み込みを行う場合、原稿ＬＴＲ−Ｒの画像データはリーダ装置１０２のメモリ１１４に表面と裏面の２ページ分の画像データを格納することが可能である。しかしながら、原稿ＬＧＬについては１ページ分の画像しか格納することができない。
【００４３】
また、原稿に対する表面の画像読み取りが開始された後、原稿ＬＴＲ−Ｒと原稿ＬＧＬのいずれであるかが確定するタイミングと、裏面の原稿読み取りが開始されるタイミングの間は、間隔が空いている。
このため、原稿表面の画像読み取り開始時には、読み取る画像データをリーダ装置１０２のメモリ１１４に格納しておき、原稿サイズ確定後から裏面の画像読み取りが開始されるまでの間に、原稿サイズを制御装置１０１に通知する。そして、制御装置１０１において画像処理設定などの必要な処理が終了した後、リーダ装置１０２のメモリ１１４に格納されている表面の画像データは制御装置１０１に転送される。また、原稿裏面の画像データはリーダ装置１０２のメモリ１１４に格納される、という処理による対応も考えることができる。
【００４４】
しかし、リーダ装置１０２から制御装置１０１に読み取る画像の原稿サイズが通知されてから、画像処理の設定処理などを行うために必要な時間が、原稿サイズ確定から裏面画像読み取り開始までの時間より、常に短くなることを保証することは困難である。このため、上記のような処理による解決は難しいと考えられる。
また、別の解決方法として、同幅原稿混載モードで原稿ＬＴＲ−Ｒと原稿ＬＧＬを判別できない場合は、原稿サイズをよりサイズの大きい原稿ＬＧＬであるとみなして画像読み取り処理と制御装置１０１への画像データの転送を行う。
そして、制御装置１０１のメモリ１０７に読み取った画像データを格納した後、原稿サイズ確定後に、リーダ装置１０２から実際の原稿サイズが通知されるのを待つ。そして、リーダ装置１０２から通知される実際の原稿サイズに従って、制御装置１０１側でメモリ１０７に格納された画像データから原稿サイズに応じた画像データを作成する、という処理が考えられる。
【００４５】
しかし、本実施形態では、図２に示すコントローラ制御装置１０４のスキャン画像処理部２０２で画像データの変倍処理が行われる一方、図２に示すように、リーダ装置１０２から転送される画像データは、スキャン画像処理部２０２で画像処理される。その後、画像処理された画像データがメモリ１０７に格納される。
このため、原稿サイズが未確定の状態では、自動変倍機能などで必要なスキャン画像処理部２０２での変倍処理が行えない。また、コントローラ制御装置１０４のメモリ１０７に画像データが格納された後では、スキャン画像処理部２０２に存在する画像処理機能を使用することはできない。
【００４６】
このため、自動変倍機能などの実現に必要な画像処理が行えなくなってしまうため、上記処理による解決は行えない。
また、もう一つの解決方法として、リーダ装置１０２に搭載されるメモリ１１４の容量を、原稿サイズがＬＧＬの画像データについても、２４ｂｉｔカラー画像を２ページ分格納可能な容量とする。これにより、原稿の表面と裏面から読み取る画像データとも一旦メモリ１１４に格納し、原稿サイズが確定した後に、メモリ１１４から画像データを読み出し、制御装置１０１に転送する、という方法が考えられる。
しかし、この方法では、単純計算で２倍の容量のメモリ１１４をリーダ装置１０２に搭載する必要があり、リーダ装置１０２のコストに大きな影響を与えてしまうため、この方法を採用することもコスト的に難しい。
上記で説明した課題について、本発明により解決する方法の詳細について、本実施形態を例に説明する。
【００４７】
図６、図７は、本実施形態を示す読取り装置の制御手順を示すフローチャートである。本例は、リーダ装置１０２の読取り制御に対応する。なお、各ステップは、リーダ制御装置１１１がＲＯＭ等から制御プログラムをＲＡＭ上にロードして実行することで実現される。
【００４８】
図８、図９は、本実施形態を示すリーダ装置の原稿搬送状態とメモリ使用量との関係を説明する図である。本例は、原稿読み取り処理における、自動原稿送り装置での原稿搬送状態と、その時のリーダ装置１０２のメモリ１１４、制御装置１０１のメモリ１０７の状態を示す例である。
これらの図８、図９において、原稿搬送状態は、図４に示した構造の自動原稿送り装置１１２に、搬送されている原稿の位置１００７、１１０７を識別するため、図中では、原稿搬送パス上に、太い実線で原稿の搬送状態を示す。
【００４９】
また、図８、図９に示すように、リーダ装置１０２のメモリ１１４の格納状態１００８、１００９、１１０８、１１０９は、説明のために表面画像の格納領域１００８、１１０８と裏面画像の格納領域１００９、１１０９の２つに分けて図示する。しかしながら、実際にはメモリ１１４は連続したメモリ領域である。
また、メモリ領域はそれぞれ原稿サイズが原稿ＬＴＲ、ＬＴＲ−Ｒの画像データを格納可能な容量の領域であるとする。制御装置１０１のメモリ１０７のメモリ状態１０１０、１１１０は、制御装置１０１に搭載されているメモリ１０７のうち、読み取り画像格納用の領域として用意されている部分を示している。
また、その容量は、原稿サイズが原稿ＬＧＬの読み取り画像１ページ分を格納するのに十分な容量が用意されている。
【００５０】
図１０、図１１は、本実施形態を示す複写装置の制御装置の制御手順を示すフローチャートである。本例は、制御装置１０１によるリーダ装置１０２から受信する画像データに対する読取り制御に対応する。なお、各ステップは、制御装置１０１のコントローラ制御装置１０４がＲＯＭ等から制御プログラムをＲＡＭ上にロードして実行することで実現される。
原稿画像の読み取り処理は、制御装置１０１の操作部１０５よりジョブの投入が行われることで開始される。
ジョブが投入されると、コントローラ制御装置１０４でジョブの設定に応じて画像形成処理が開始され、原稿画像の読み取り処理が開始される。
原稿画像の読み取り処理では、まず、コントローラ制御装置１０４よりリーダ制御装置１１１に対し、原稿の給紙要求が行われる（Ｓ６０１、Ｓ７０１）。原稿給紙要求では、カラーとグレースケールのどちらのモードで画像読み取りを行うか、原稿の片面のみの読み取りであるか、両面の読み取りか、原稿サイズ混載モードであるか、などの読み取りモードを示すパラメータがリーダ制御装置１１１に引き渡される。
【００５１】
リーダ装置１０２では、原稿給紙要求をコントローラ制御装置１０４より受け取ると（Ｓ４０１）、リーダ制御装置１１１は、どのような画像読み取りモードが指定されているかを判断する。ここでは、カラーモードで原稿両面の画像読み取りで、かつ、原稿サイズ混載モードであるかどうかを判断する（Ｓ４０２）。ここで、リーダ制御装置１１１がカラーモードで原稿両面の画像読み取りで、かつ、原稿サイズ混載モードであると判断した場合、Ｓ４０３へ進む。Ｓ４０３移行の処理は、課題として前述した問題を解決する、本発明特有の読み取り処理に移る。
【００５２】
一方、Ｓ４０２で、カラーモードで原稿両面の画像読み取りで、かつ、原稿サイズ混載モードでないとリーダ制御装置１１１が判断した場合は、図７に示すＳ５０１以降の通常の読み取り処理に移る。
以下では、カラー読み取り、原稿両面読み取り、原稿サイズ混載モードが指定されたとして、本発明で課題を解決するために実現する処理について説明する。
また、このとき、原稿サイズがＳＴＭＴ、ＬＴＲ−Ｒ、ＬＧＬの原稿による同幅原稿サイズ混載モードであるとする。
【００５３】
カラー読み取り、原稿両面読み取り、原稿サイズ混載モードでの画像読み取り要求が行われると、リーダ制御装置１１１は、まず自動原稿送り装置１１２に積載された原稿を１枚給紙する処理を開始する（Ｓ４０３）。給紙された原稿は、自動原稿送り装置１１２の原稿搬送パス９０５上を移動し、その際に原稿搬送パス上に設置された原稿検知センサＳ２、Ｓ１の出力から原稿サイズが判別される。原稿の先端が原稿搬送パス上、最も表面画像を読み取るイメージセンサＩＳ１に近い原稿検知センサＳ１に到達するまでの間に、リーダ制御装置１１１は給紙した原稿の原稿サイズ仮判定を開始する（Ｓ４０４）。次に、Ｓ４０５で、リーダ制御装置１１１は、給紙した原稿がＳＴＭＴ、ＬＴＲ−Ｒ、ＬＧＬのうち、ＳＴＭＴであるか判別を行う（この段階では、ＬＴＲ−ＲとＬＧＬの判別は行えない）。ここで、給紙した原稿がＳＴＭＴであるとリーダ制御装置１１１が判断した場合は、Ｓ４３９へ進み、給紙した原稿がＳＴＭＴでないとリーダ制御装置１１１が判断した場合は、Ｓ４０６へ進む。
【００５４】
〔原稿サイズがＳＴＭＴと判定される場合の処理〕
まず、上記原稿サイズ仮判定で、原稿サイズがＳＴＭＴと判定された場合の処理について説明する。
この場合、リーダ制御装置１１１は、原稿画像の読み取り開始前に原稿サイズが確定しているため、通常の原稿読み取り処理を実行する。
すなわち、リーダ制御装置１１１は、原稿の給紙を開始したこと、及びその原稿サイズがＳＴＭＴであることをコントローラ制御装置１０４に通知する（Ｓ４３９）。
これに対して、コントローラ制御装置１０４は、リーダ制御装置１１１からの原稿給紙開始通知を受信し（Ｓ６０２）、スキャン画像処理の設定を行う（Ｓ６０３）。コントローラ制御装置１０４は、スキャン画像処理の設定が終了すると、原稿の読み込み実行要求を読み取る原稿画像サイズ（ＳＴＭＴ）とともにリーダ制御装置１１１に通知する（Ｓ６０４）。
リーダ制御装置１１１は、コントローラ制御装置１０４からの読み取り実行要求を受けて（Ｓ４４０）、原稿の搬送を進め、原稿の先端が表面画像を読み取るイメージセンサＩＳ１に達すると、原稿の表面画像の読み取りを開始する（Ｓ４４１）。
リーダ制御装置１１１は、読み取った原稿表面の画像データに必要な画像処理を行い、リーダ装置１０２のメモリ１１４に読み取った画像データを格納することなく、コントローラ制御装置１０４に読み取った画像データを転送する（Ｓ４４２）。この際、コントローラ制御装置１０４は、Ｓ６０５でリーダ制御装置１１１から転送される表面の画像データの受信を開始する（Ｓ６０５）。
そして、原稿の搬送がさらに進み、原稿の先端が原稿裏面を読み取るイメージセンサＩＳ２に達すると、リーダ制御装置１１１は、原稿の裏面画像の読み取りを開始する（Ｓ４４３）。
そして、リーダ制御装置１１１は、読み取る原稿裏面の画像データについては、必要な画像処理を行った後、リーダ装置１０２のメモリ１１４に画像データを格納する。
そして、リーダ装置１０２において原稿の搬送、読み取り処理がさらに進むと、リーダ制御装置１１１による原稿表面の読み取りが終了する（Ｓ４４４）。続いて、リーダ制御装置１１１から読み取られた原稿表面の画像データのコントローラ制御装置１０４への転送が終了する（Ｓ４４５）。そして、リーダ制御装置１１１は、原稿表面の画像データのコントローラ制御装置１０４への転送が終了した時点で、原稿読み取り終了通知をコントローラ制御装置１０４に行う（Ｓ４４６）。
【００５５】
次に、リーダ制御装置１１１は、原稿裏面の読み取りと、読み取った裏面の画像データのメモリ１１４への格納が終了する（Ｓ４４７）。
次に、コントローラ制御装置１０４は、リーダ制御装置１１１から原稿表面の画像データの受信が終了し（Ｓ６０６）、原稿読み取り終了通知をリーダ装置１０２から受信する（Ｓ６０７）。そして、原稿裏面を読み取るため、リーダ制御装置１１１に対し、原稿裏面の読み取りに対する原稿給紙要求を行う（Ｓ６０８）。
リーダ制御装置１１１は、原稿裏面画の読み取りに対する原稿給紙要求を受信すると（Ｓ４４８）、リーダ制御装置１１１は、コントローラ制御装置１０４に対し、原稿給紙開始通知を行い、原稿サイズを通知する（Ｓ４４９）。
ここで、実際の原稿の給紙と画像読み取り処理は終了しているため、原稿裏面画像に対する原稿給紙開始通知とは、リーダ制御装置１１１とコントローラ制御装置１０４間のシーケンス上のやり取りに過ぎず、この時、実際に原稿の給紙が行われるわけではない。
Ｓ６０９で、リーダ制御装置１１１から原稿給紙開始通知を受信したコントローラ制御装置１０４は、表面画像の読み取り時と同様に、スキャン画像処理の設定を行う（Ｓ６１０）。その後、コントローラ制御装置１０４は、裏面画像の原稿読み取り実行要求をリーダ制御装置１１１に通知する（Ｓ６１１）。
リーダ制御装置１１１は、コントローラ制御装置１０４から裏面画像の読み取り実行要求を受けて（Ｓ４５０）、メモリ１１４に格納した原稿裏面の画像データを読み出し、コントローラ制御装置１０４に対し画像データの転送を行う（Ｓ４５１）。この際、コントローラ制御装置１０４は、Ｓ６１２でリーダ制御装置１１１から転送される裏面の画像データの受信を開始する。
【００５６】
そして、リーダ制御装置１１１は、コントローラ制御装置１０４への画像データの転送を終了する（Ｓ４５２）。この際、コントローラ制御装置１０４は、リーダ制御装置１１１から原稿裏面の画像データの受信を終了する（Ｓ６１３）。そして、リーダ制御装置１１１は、原稿裏面の画像データの原稿読み取り終了通知をコントローラ制御装置１０４に行い（Ｓ４５３）、原稿１枚に対する画像読み取り処理が終了となる。この際、コントローラ制御装置１０４は、Ｓ６１４で、リーダ制御装置１１１から原稿裏面の画像データの原稿読み取り終了通知を受信して、図１０に示す処理を終了する。
【００５７】
以上が、原稿画像読み取り開始前に原稿サイズが確定する、通常の画像読み取り処理における処理の流れである。
〔原稿サイズがＳＴＭＴ以外と判定される場合の処理１〕
一方、同幅原稿混載モードにおいて、原稿サイズがＬＴＲ−Ｒ、ＬＧＬの場合には、画像読み取り開始前に原稿サイズが確定しない。この場合の処理について、以下に説明する。本処理は、図６に示したＳ４０５でＹＥＳと判定される場合の処理である。
まず、原稿サイズが原稿ＬＴＲ−ＲとＬＧＬの原稿混載モードで画像読み取り処理を行う場合、コントローラ制御装置１０４から原稿給紙要求が通知される（Ｓ７０１）。ここで、リーダ制御装置１１１は、画像読み取り開始前には、原稿が原稿ＬＴＲ−ＲとＬＧＬのいずれの原稿を給紙しているのか、判別することができない。
このため、リーダ制御装置１１１は、給紙可能な最大原稿サイズとなる原稿ＬＧＬを給紙していると仮定し、コントローラ制御装置１０４に対し原稿給紙開始の通知を行う（Ｓ４０６）。
コントローラ制御装置１０４は、原稿ＬＧＬの原稿給紙開始通知をリーダ制御装置１１１から受信すると（Ｓ７０２）、Ｓ７０３へ進む。
そして、コントローラ制御装置１０４は、原稿ＬＧＬでのスキャン画像処理設定を行い、画像処理に必要な読み取り画像サイズ設定や自動変倍機能における変倍率の計算・設定を行う（Ｓ７０３）。コントローラ制御装置１０４は、画像処理設定が終了すると、リーダ制御装置１１１に対し、原稿ＬＧＬの画像読み取り要求を通知する（Ｓ７０４）。
リーダ制御装置１１１は、コントローラ制御装置１０４からの読み取り実行要求を受信すると（Ｓ４０７）、Ｓ４０８へ進む。そして、Ｓ４０８で、リーダ制御装置１１１は、原稿の搬送を進め、原稿の先端が表面画像を読み取るイメージセンサＩＳ１に到達すると、原稿表面画像の読み取り処理を開始する（Ｓ４０８）。
【００５８】
リーダ制御装置１１１は、読み取った表面の画像データに必要な画像処理を行った後、画像データをリーダ装置１０２のメモリ１１４に格納する。このとき、メモリ１１４の状態は、図８に示す状態１００２、図９に示す状態１１０２となる。図８に示す状態１００２、図９に示す状態１１０２において、リーダ装置１０２のメモリ１１４には、図８に示すメモリ領域１０１１、図９に示すメモリ領域に、原稿表面から読み取られた画像データが格納される。なお、リーダ制御装置１１１の処理のうち共通するステップについては、図１０のステップを用いて説明する。
さらに、リーダ装置１０２が原稿の搬送を進めると、自動原稿送り装置１１２の原稿搬送パス上の原稿検知センサＳ２を原稿後端が通過した時点でリーダ制御装置１１１が原稿の長さを算出する。ここで、リーダ制御装置１１１は、原稿搬送速度と、原稿先端から原稿後端を通過するまでの時間から原稿の長さを算出する。
そして、Ｓ４０９で、リーダ制御装置１１１は、原稿サイズが原稿ＬＴＲ−Ｒと原稿ＬＧＬのどちらであるかを確定する。ここで、リーダ制御装置１１１が確定した原稿サイズにより、以後の画像読み取り処理が異なる。
まず、Ｓ４１０で、リーダ制御装置１１１は、確定した原稿サイズが原稿ＬＧＬであるかどうかを判断する。ここで、確定した原稿サイズが原稿ＬＧＬであるとリーダ制御装置１１１が判断した場合、表面原稿読み取り処理の開始時に仮定した原稿サイズは正しく、コントローラ制御装置１０４に設定されている読み取り画像処理の設定値も正しい設定である。
【００５９】
よって、リーダ制御装置１１１は、メモリ１１４に格納した原稿表面の画像データを読み出し、コントローラ制御装置１０４への転送を開始する（Ｓ４１１）。
このとき、リーダ制御装置１１１における変倍処理がコントローラ制御装置１０４から指定されている場合は、メモリ１１４から読み出した画像データに対し、変倍処理を行った後、コントローラ制御装置１０４に画像データを転送する。
そして、リーダ制御装置１１１が原稿表面画像の読み取りを行いながら原稿の搬送を続けると、原稿の先端が裏面画像を読み取るイメージセンサＩＳ２の位置に到達し、原稿裏面画像の読み取りを開始する（Ｓ４１２）。
原稿の先端が裏面画像を読み取るためのイメージセンサＩＳ２の位置に到達した際の、リーダ装置１０２と制御装置１０１のメモリ状態を図８の状態１００３に示す。
ここで、メモリ領域１０１２は、メモリ１１４に格納された画像データのうち、コントローラ制御装置１０４に転送済みの領域を示す。
また、メモリ領域１０１３は制御装置１０１のメモリ１０７上でリーダ制御装置１１１から受信した原稿表面の画像データが格納された領域を示す。リーダ制御装置１１１は、図８の状態１００４に示すように、読み取った原稿裏面の画像データを、通常の両面画像読み取り処理時と同様に、一旦リーダ装置１０２のメモリ１１４に格納する。なお、図８に示す状態１００４は、リーダ装置１０２が原稿裏面の画像読み取りを開始した後のメモリ状態である。
【００６０】
ここで、読み取られた原稿表面の画像データは、メモリ１１４上の裏面の読み取り画像を保存する領域にまで書き込みが行われている。
これは、原稿サイズがＬＧＬの場合、原稿サイズがＬＴＲ分のサイズしか存在しない表面画像の格納領域のみでは、画像データを全て格納が行えないためである。
しかし、メモリ１１４の表面画像と裏面画像の格納領域は連続したメモリ領域となっているため、問題なく画像データの保存が行える。また、メモリ領域１０１４は、メモリ１１４上に格納された原稿裏面の画像データを示している。
原稿サイズが原稿ＬＧＬである原稿裏面の画像データは、前述のように裏面画像格納用のメモリ領域には収まらないため、表面画像の格納領域の先頭から画像データを格納している。
すなわち、原稿表面の画像データが格納された領域に裏面の画像データを上書きして格納しているが、原稿裏面の画像データが格納される領域の原稿表面の画像データはコントローラ制御装置１０４に転送済みである。また、原稿裏面の画像データの読み取り、格納が行われる速度より、コントローラ制御装置１０４に画像データを転送する速度の方が遅くなることはないため、原稿表面の画像データが原稿裏面の画像データの上書により破壊されることはない。
続いて、リーダ制御装置１１１が原稿表面と原稿裏面の画像データの読み取りを行いながら、さらに原稿の搬送を続けると、原稿の後端が表面画像を読み取るイメージセンサＩＳ１の位置に到達し、原稿表面の画像読み取りが終了する（Ｓ４１３）。
【００６１】
原稿表面の画像読み取りが終了すると、表面の画像データのリーダ装置１０２のメモリ１１４への格納も終了し、続いてコントローラ制御装置１０４への原稿表面の画像データの転送も終了する（Ｓ４１４）。
このようにして原稿表面の画像データの転送が終了すると、リーダ制御装置１１１はコントローラ制御装置１０４に対し、原稿読み取り終了通知を行う（Ｓ４１５）。コントローラ制御装置１０４は、リーダ制御装置１１１から原稿表面の画像データの受信終了の通知を受信し（Ｓ６０６）、さらに、原稿読み取り終了通知を受信する（Ｓ６０７）。これにより、原稿表面の画像データの読み取り処理を終了し、続いて、原稿裏面の画像データの読み取り処理を開始する。
コントローラ制御装置１０４側での原稿裏面の読み取り処理は、原稿表面の画像読み取り処理と同様に行われる。
まず、コントローラ制御装置１０４は、原稿の給紙要求をリーダ制御装置１１１に通知する（Ｓ６０８）。リーダ制御装置１１１は、コントローラ制御装置１０４からの原稿給紙要求を受信すると（Ｓ４１７）、コントローラ制御装置１０４に原稿給紙開始通知を原稿サイズ（原稿ＬＧＬ）とともに通知する（Ｓ４１８）。
このとき、当該原稿給紙要求は原稿裏面の画像読み取りに対する原稿給紙要求であるため、リーダ装置１０２が実際に原稿の給紙を行うことはない。つまり、原稿給紙用要求と原稿給紙開始通知はリーダ制御装置１１１とコントローラ制御装置１０４のシーケンス上のやり取りのみとなっている。
【００６２】
コントローラ制御装置１０４は、リーダ制御装置１１１から原稿給紙開始通知を受信すると（Ｓ６０９）、通知された原稿サイズに応じたスキャン画像処理設定を行った後（Ｓ６１０）、リーダ制御装置１１１に画像読み取り実行要求を行う（Ｓ６１１）。
リーダ制御装置１１１は、コントローラ制御装置１０４から画像読み取り実行要求を受信すると（Ｓ４１８）、メモリ１１４上に格納されている原稿裏面の画像データを読み出し、コントローラ制御装置１０４に画像データの転送を行う（Ｓ４１９）。
【００６３】
このとき、原稿表面の画像データの転送と同様に、リーダ制御装置１１１における変倍処理がコントローラ制御装置１０４から指定されている場合は、メモリ１１４から読み出した画像データに対し、変倍処理を行う。そして、リーダ制御装置１１１は、変倍処理した画像データをコントローラ制御装置１０４に転送する。
また、上記処理の間も、リーダ制御装置１１１は原稿の搬送と原稿裏面の読み取り処理を行っている。このため、原稿の後端が原稿裏面の画像を読み取るイメージセンサＩＳ２に到達すると、原稿裏面の読み取り処理が終了し（Ｓ４２０）、リーダ装置１０２のメモリ１１４に原稿裏面の画像データを格納する処理も終了する。
その後、リーダ制御装置１１１は、コントローラ制御装置１０４への原稿裏面の画像データの転送が終了すると（Ｓ４２１）、コントローラ制御装置１０４に画像読み取り終了通知を行い（Ｓ４２２）、画像読み取り処理を終了する。
コントローラ制御装置１０４は、リーダ制御装置１１１からの原稿裏面の画像データの受信終了通知を受信し（Ｓ６１３）、さらにリーダ制御装置１１１から原稿読み取り終了通知を受信したら（Ｓ６１４）、原稿裏面の読み取り処理を終了する。以上が、原稿サイズがＬＧＬと判別された際の画像読み取り処理である。
【００６４】
〔原稿サイズがＳＴＭＴ以外と判定される場合の処理２〕
次に、Ｓ４１０で、リーダ制御装置１１１が給送された原稿サイズが原稿ＬＴＲ−Ｒと判別された際の処理について説明する。
リーダ制御装置１１１が確定した原稿サイズがＬＴＲ−Ｒである場合（Ｓ４１０）、Ｓ４０４におけるリーダ制御装置１１１が原稿表面の読み取り処理の開始時に仮定した原稿サイズは誤りである。また、コントローラ制御装置１０４に設定されている読み取り画像処理の設定値も正しい設定ではないものとなる。
このため、リーダ制御装置１１１はコントローラ制御装置１０４に対し、原稿読み取り処理のキャンセル・やり直しを要求する（Ｓ４２３）。これに対し、コントローラ制御装置１０４は、原稿読み取り処理のキャンセル要求を受信すると（Ｓ７０５）、コントローラ制御装置１０４は、画像読み取り処理を中断し、再度読み取り処理を最初から開始する（Ｓ７０６）。
このため、コントローラ制御装置１０４は、リーダ制御装置１１１に対し、再度原稿給紙要求を行う（Ｓ７０７）。
そして、リーダ制御装置１１１は、コントローラ制御装置１０４から原稿給紙要求を受信すると（Ｓ４２５）、原稿給紙開始通知を原稿サイズとともにコントローラ制御装置１０４に通知する（Ｓ４２６）。
【００６５】
ここでの、原稿給紙開始通知は画像読み取りシーケンス上のやり取りであり、実際にリーダ装置１０２が原稿の給紙を再度行っているわけではない。
また、この間にも、リーダ制御装置１１１は、Ｓ４２４で原稿の搬送と表面画像の読み取りとリーダ装置１０２のメモリ１１４に画像データを格納する処理を行っている。ここで、原稿の先端が原稿裏面の画像を読み取るイメージセンサＩＳ２に到達すると、リーダ制御装置１１１は原稿裏面の画像読み取りを開始する。
読み取った原稿裏面の画像データは、メモリ１１４上の裏面画像を格納する第２の領域に格納される。
コントローラ制御装置１０４は、リーダ制御装置１１１から原稿給紙開始通知を受信すると（Ｓ７０８）、通知された原稿サイズ（ＬＴＲ−Ｒ）に応じた読み取り画像処理設定を再度行う（Ｓ７０９）。
次いで、コントローラ制御装置１０４は、リーダ制御装置１１１に画像読み取り実行要求を行う（Ｓ７１０）。リーダ制御装置１１１は、コントローラ制御装置１０４から原稿表面の画像読み取り実行要求を受信する（Ｓ４２７）。次に、リーダ制御装置１１１は、リーダ装置１０２のメモリ１１４上に格納した原稿表面の画像データを読み出し、コントローラ制御装置１０４へ転送する（Ｓ４２８）。
また、リーダ制御装置１１１における変倍処理がコントローラ制御装置１０４から指定されている場合は、メモリ１１４から読み出した画像データに対し、変倍処理を行った後、コントローラ制御装置１０４に画像データを転送する。
このときのリーダ装置１０２と制御装置１０１のメモリ状態を図９のデータ処理状態１１０４に示す。
原稿表面の画像データのうちコントローラ制御装置１０４に転送された領域をメモリ領域１１１３に示す。同様に、原稿裏面の画像データが格納された領域をメモリ領域１１１４に示す。同様に、制御装置１０１のメモリ１０７上でリーダ制御装置１１１から受信した原稿表面の画像データが格納された領域をメモリ領域１１１５に示す。
【００６６】
原稿サイズがＬＴＲ−Ｒの場合、リーダ装置１０２のメモリ１１４には表面と裏面の２ページ分の画像データを格納可能なため、データ処理状態１１０４のように、それぞれのメモリ領域（第１の領域または第２の領域）に画像データが格納される。
さらに、リーダ制御装置１１１が、原稿の搬送と原稿表面、原稿裏面の画像読み取りを進め、原稿の後端が原稿表面の画像を読み取るイメージセンサＩＳ１に到達する。すると、表面画像の読み取りを終了し（Ｓ４２９）、表面の画像データのリーダ装置１０２のメモリ１１４への格納も終了する。
【００６７】
また、リーダ制御装置１１１がコントローラ制御装置１０４に対して表面の画像データの転送も終了すると（Ｓ４３０）、リーダ制御装置１１１はコントローラ制御装置１０４に原稿読み取り終了通知を行う（Ｓ４３１）。
コントローラ制御装置１０４は、リーダ制御装置１１１からの原稿表面の読み取り画像転送終了通知を受信し（Ｓ７１２）、さらに、原稿読み取り終了通知を受信すると（Ｓ７１３）、原稿表面画像の読み取り処理を終了する。
続いて、原稿裏面画像の読み取り処理を開始する。
表面画像の読み取りと同様に、コントローラ制御装置１０４はリーダ制御装置１１１に原稿給紙要求を行う（Ｓ７１４）。リーダ制御装置１１１は、コントローラ制御装置１０４からの原稿給紙要求を受信すると（Ｓ４３３）、原稿サイズ（原稿ＬＴＲ−Ｒ）とともに原稿給紙開始通知をコントローラ制御装置１０４に行う（Ｓ４３４）。
【００６８】
ここでの原稿給紙開始通知も、画像読み取りシーケンス上のやり取りであり、実際にリーダ装置１０２が原稿の給紙を行っているわけではない。
また、この間にも、リーダ装置１０２は、原稿の搬送と原稿裏面画像の読み取りを進め、原稿の後端が原稿裏面の画像を読み取るイメージセンサＩＳ２に到達すると、原稿裏面画像の読み取りとリーダ装置１０２のメモリ１１４への格納を終了する（Ｓ４３２）。
コントローラ制御装置１０４は、リーダ装置１０２からの原稿給紙開始通知を受信する（Ｓ７１５）。すると、通知された原稿サイズ（ＬＴＲ−Ｒ）に応じた読み取り画像処理設定を行い（Ｓ７１６）、リーダ制御装置１１１に画像読み取り実行要求を行う（Ｓ７１７）。
リーダ制御装置１１１は、コントローラ制御装置１０４から原稿表面の画像読み取り実行要求を受信すると（Ｓ４３５）、リーダ装置１０２のメモリ１１４上に格納した原稿裏面の画像データを読み出し、コントローラ制御装置１０４へ転送を開始する（Ｓ４３６）。
また、この時、リーダ制御装置１１１における変倍処理がコントローラ制御装置１０４から指定されている場合は、メモリ１１４から読み出した読み取り画像データに対し、変倍処理を行う。その後、リーダ制御装置１１１は、コントローラ制御装置１０４に画像データを転送する。
【００６９】
その後、リーダ制御装置１１１は、コントローラ制御装置１０４に原稿裏面の画像データの転送が終了すると（Ｓ４３７）、コントローラ制御装置１０４に画像読み取り終了通知を行い（Ｓ４３８）、画像読み取り処理を終了する。
コントローラ制御装置１０４は、リーダ制御装置１１１からの原稿裏面の画像データの受信を開始して（Ｓ７１８）、リーダ制御装置１１１からの原稿裏面の画像データの受信を終了する（Ｓ７１９）。そして、リーダ制御装置１１１からの原稿読み取り終了通知を受信したら（Ｓ７２０）、原稿裏面の画像読み取り処理を終了する。
ここまでが、原稿サイズがＬＴＲ−Ｒと判別された際の画像読み取り処理である。
以上で説明したように画像読み取り処理を行うことにより、原稿サイズ混載モードでの画像読み取り処理において、画像読み取り処理開始前に原稿サイズが確定しない場合においても、リーダ装置に搭載するメモリ容量を増加させる必要がなくなる。同時に、画像読み取りにおいて必要な画像処理を行うことが可能となり、コストダウンと画像読み取り処理における機能の両立が可能となる。
【００７０】
以下、図７を参照して、Ｓ４０２でＮＯと判定された場合に対応する通常の原稿読取り処理について説明する。
Ｓ５０１で、リーダ制御装置１１１は、原稿搬送モードが原稿混載モードであるかどうかを判断する。ここで、原稿搬送モードが原稿混載モードであると判断した場合は、Ｓ５１１へ進み、原稿搬送モードが原稿混載モードでないとリーダ制御装置１１１が判断した場合は、片面原稿の読み取り処理に対応するＳ５０２へ進む。
そして、Ｓ５０２で、リーダ制御装置１１１は、自動原稿送り装置１１２から原稿の給紙を開始する。そして、Ｓ５０３で、リーダ制御装置１１１は、原稿検知センサＳ１が原稿の先端を検知してから、原稿の後端を検知するまでの時間と原稿搬送速度から読み取る原稿の原稿サイズを確定する。そして、Ｓ５０４で、リーダ制御装置１１１は、確定した原稿サイズをコントローラ制御装置１０４へ通知する。そして、リーダ制御装置１１１がコントローラ制御装置１０４より原稿読取り実行要求を受信したら、イメージセンサＩＳ１を用いて搬送される原稿画像の読取りを開始する（Ｓ５０６）。
そして、リーダ制御装置１１１は、イメージセンサＩＳ１が読み取る原稿の画像データをコントローラ制御装置１０４へ転送する（Ｓ５０７）。そして、イメージセンサＩＳ１による原稿画像の読取りが終了したら（Ｓ５０８）、リーダ制御装置１１１は、コントローラ制御装置１０４に対する画像データの転送を終了する（Ｓ５０９）。
【００７１】
そして、リーダ制御装置１１１は、コントローラ制御装置１０４に原稿読取り終了を通知して（Ｓ５１０）、読取り処理を終了する。
一方、Ｓ５０１で、原稿サイズ混載モードであると判断した場合は、Ｓ５１１へ進む。この場合は、リーダ制御装置１１１は、原稿がカラー原稿ではない混載モードの処理を開始する。
そして、Ｓ５１１で、リーダ制御装置１１１は、コントローラ制御装置１０４から通知される読み取りモード情報から両面読取りモードかどうかを判断する。ここで、リーダ制御装置１１１が、両面読取りが指定されていると判断した場合は、Ｓ５２１へ進み、両面読取りが指定されていないと判断した場合は、Ｓ５１２へ進む。
【００７２】
そして、Ｓ５１２で、リーダ制御装置１１１は、自動原稿送り装置１１２から原稿給紙を開始させる。そして、イメージセンサＩＳ１による原稿読取りを開始して、原稿後端が原稿検知センサＳ２で検知されたタイミングで、リーダ制御装置１１１は、原稿サイズを上述した処理に基づいて確定する。そして、Ｓ５１５で、リーダ制御装置１１１は、確定した原稿サイズをコントローラ制御装置１０４に通知する。
次に、Ｓ５１６で、リーダ制御装置１１１がコントローラ制御装置１０４から読取り実行要求を受信したら、Ｓ５１７で読み取られた画像データをコントローラ制御装置１０４に転送を開始する。
そして、Ｓ５１８で、リーダ制御装置１１１がイメージセンサＩＳ１が片面原稿の原稿画像の読取りを終了したら、読み取られた画像データのコントローラ制御装置１０４への転送を終了する。そして、Ｓ５１９でリーダ制御装置１１１がコントローラ制御装置１０４に原稿読取り終了を通知して、本処理を終了する。
一方、Ｓ５１１で、リーダ制御装置１１１が原稿が両面読取りであると判定した場合は、Ｓ５２１へ進む。
そして、Ｓ５２１で、リーダ制御装置１１１は、自動原稿送り装置１１２から原稿給紙を開始させる。そして、イメージセンサＩＳ１による原稿表面の読取りを開始して、原稿後端が原稿検知センサＳ２で検知されたタイミングで、リーダ制御装置１１１は、原稿サイズを上述した処理に基づいて確定する（Ｓ５２３）。そして、Ｓ５２４で、リーダ制御装置１１１は、確定した原稿サイズをコントローラ制御装置１０４に通知する。
【００７３】
次に、Ｓ５２５で、リーダ制御装置１１１がコントローラ制御装置１０４から読取り実行要求を受信したら、Ｓ５２６で読み取られた表面の画像データをコントローラ制御装置１０４に転送を開始する。
次いで、Ｓ５２７で、リーダ制御装置１１１は、搬送される原稿の先端がイメージセンサＩＳ２に到達したら、イメージセンサＩＳ２による原稿裏面の読取りを開始すると、イメージセンサＩＳ１による原稿表面の読取りが終了する（Ｓ５２８）。
次いで、リーダ制御装置１１１は、原稿表面の画像データのコントローラ制御装置１０４への転送を終了し（Ｓ５２９）、原稿表面読取り終了をコントローラ制御装置１０４に通知する（Ｓ５３０）。そして、Ｓ５３１で、リーダ制御装置１１１は、イメージセンサＩＳ２を用いた原稿裏面の画像読取りを終了する。
次いで、リーダ制御装置１１１は、原稿裏面の画像データのコントローラ制御装置１０４への転送を終了し（Ｓ５３２）、原稿裏面読取り終了をコントローラ制御装置１０４に通知して（Ｓ５３３）、本処理を終了する。
本実施形態によれば、リーダ制御装置１１１がコントローラ制御装置１０４に通知する原稿サイズに応じて、コントローラ制御装置１０４から受け取る読み取り指示に従い、第１または第２の読み取り制御を切り替えることができる。
具体的には、イメージセンサＩＳ１、ＩＳ２が同時に読み取る表面の画像データと裏面の画像データとをメモリ１１４に確保される第１の領域および第２の領域をそれぞれ用いて格納する。そして、この処理に並行して、メモリ１１４に格納された表面の画像データと裏面の画像データとを読み出してコントローラ制御装置に転送する制御が第１の読み取り制御である。ここで、第１の読み取り制御は、原稿搬送前に仮設定された原稿サイズ（最大原稿サイズ）と確定した原稿サイズが一致する場合に実行される。
また、イメージセンサＩＳ１、ＩＳ２が同時に読み取る表面の画像データと裏面の画像データとをメモリ１１４に確保される第１の領域または第２の領域を用いて格納する。これに並行して、メモリ１１４に格納された表面の画像データと裏面の画像データとを読み出して前記制御装置に転送する制御が第２の読み取り制御である。そして、本実施形態では、上記第１の読み取り制御と、第２の読み取り制御を原稿搬送中に切り替え可能に構成したので、メモリ１１４の容量が最大原稿サイズのカラー画像を読み取れる容量以下で、最大原稿サイズの両面同時読み取り制御が可能となる。
【００７４】
図１２、図１３は、本実施形態を示す複写装置の原稿混載モード時の原稿読取りシーケンスの一例を示す図である。特に、図１２は、図６に示したＳ４１０で原稿サイズがＬＧＬであると判定された場合のシーケンス例に対応し、図１３は、図６に示したＳ４１１で原稿サイズがＬＧＬでないと判定された場合のシーケンス例に対応する。
【００７５】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００７６】
本発明は上記実施形態に限定されるものではなく、本発明の趣旨に基づき種々の変形（各実施形態の有機的な組合せを含む）が可能であり、それらを本発明の範囲から除外するものではない。
本発明の様々な例と実施形態を示して説明したが、当業者であれば、本発明の趣旨と範囲は、本明細書内の特定の説明に限定されるのではない。
なお、本発明は、各フローチャートに示したステップの一部をそれぞれ組み合わせてなる処理、並びに、各フローチャートに示したステップの一部を削除してなる処理も本発明に含めることが可能である。
【符号の説明】
【００７７】
１０１  制御装置
１０２  リーダ装置
１０３  プリンタ装置
【図１】
0006009012.tif 000002
【図２】
0006009012.tif 000003
【図３】
0006009012.tif 000004
【図４】
0006009012.tif 000005
【図５】
0006009012.tif 000006
【図６】
0006009012.tif 000007
【図７】
0006009012.tif 000008
【図８】
0006009012.tif 000009
【図９】
0006009012.tif 000010
【図１０】
0006009012.tif 000011
【図１１】
0006009012.tif 000012
【図１２】
0006009012.tif 000013
【図１３】
0006009012.tif 000014